(57)【特許請求の範囲】
【請求項１】
チャネル状態情報（ＣＳＩ）をレポートするための無線デバイス（５４０）における方法であって、前記無線デバイス（５４０）は、無線通信システム（５００）に含まれ、前記方法は、
ネットワークノード（５６０）から、ＣＳＩ処理構成とＣＳＩについての要求とを受信すること（１６１０）と、
１つ以上のＣＳＩ処理についてＣＳＩをレポートすること（１６２０）と、前記ＣＳＩは、ＣＳＩリファレンスリソースに相当するサブフレーム及び／又は前記ＣＳＩリファレンスリソースに先立つサブフレームのリファレンス信号リソース及び干渉測定リソースについて測定されるチャネルの状態を反映するように決定されることと、
前記ＣＳＩ処理は、特定の前記リファレンス信号リソース及び前記干渉測定リソースについてのＣＳＩのレポーティング処理を含むことと、
を含み、
前記ＣＳＩレポートが送信されるサブフレームに対して相対的な前記ＣＳＩリファレンスリソースの位置は、構成されるＣＳＩ処理の数に基づいて決定される、
ことを特徴とする方法。
【請求項２】
前記ＣＳＩレポートが送信されるサブフレームに対して相対的な前記ＣＳＩリファレンスリソースの位置を表現する数ｎＣＱＩ＿ｒｅｆを決定すること、をさらに含む、請求項１に記載の方法。
【請求項３】
構成されるＣＳＩ処理の数がある閾値を上回る場合、前記数ｎＣＱＩ＿ｒｅｆは増加する、請求項２に記載の方法。
【請求項４】
前記数ｎＣＱＩ＿ｒｅｆは、構成されるＣＳＩ処理の数と共に増加する、請求項２に記載の方法。
【請求項５】
前記ＣＳＩリファレンスリソースは、構成されるＣＳＩ−ＲＳリソースの数に基づいてさらに決定される、請求項１〜４のいずれか１項に記載の方法。
【請求項６】
前記無線デバイスは、前記無線デバイスのために構成される全てのＣＳＩ処理に適用される１つの数ｎＣＱＩ＿ｒｅｆを決定する、請求項２〜５のいずれか１項に記載の方法。
【請求項７】
第１のＣＳＩ処理を第２のＣＳＩ処理より上位に優先度化することと、前記第１のＣＳＩ処理のためのランクインジケータ及び／又はプリコーディング行列インジケータを決定することと、決定された前記ランクインジケータ及び／又はプリコーディング行列インジケータを前記第２のＣＳＩ処理のために再利用することと、をさらに含む、請求項１〜６のいずれか１項に記載の方法。
【請求項８】
構成される前記ＣＳＩ処理に対応するリファレンス信号リソース上で測定を実行することと、当該測定に基づいて前記ＣＳＩを決定することと、をさらに含む、請求項１〜７のいずれか１項に記載の方法。
【請求項９】
ＣＳＩについての前記要求は、周期的なＣＳＩレポートについての要求、又は非周期的なＣＳＩレポートについての要求である、請求項１〜８のいずれか１項に記載の方法。
【請求項１０】
構成される前記ＣＳＩ処理に対応する干渉測定リソース上で測定を実行することと、当該測定に基づいて前記ＣＳＩを決定することと、をさらに含む、請求項１〜９のいずれか１項に記載の方法。
【請求項１１】
チャネル状態情報（ＣＳＩ）をレポートするための無線デバイス（１５００）であって、前記無線デバイス（１５００）は、
ネットワークノードから、ＣＳＩ処理構成とＣＳＩについての要求とを受信し、
１つ以上のＣＳＩ処理について、ＣＳＩリファレンスリソースに相当するサブフレーム及び／又は前記ＣＳＩリファレンスリソースに先立つサブフレームのリファレンス信号リソース及び干渉測定リソースについて測定されるチャネルの状態を反映するように決定されるＣＳＩをレポートする、
ように適合され、
前記ＣＳＩ処理は、特定の前記リファレンス信号リソース及び前記干渉測定リソースについてのＣＳＩのレポーティング処理を含み、
前記ＣＳＩレポートが送信されるサブフレームに対して相対的な前記ＣＳＩリファレンスリソースの位置は、構成されるＣＳＩ処理の数に基づいて決定される、
ことを特徴とする、無線デバイス。
【請求項１２】
前記無線デバイス（１５００）は、ユーザ機器である、請求項１１に記載の無線デバイス。
【請求項１３】
請求項２〜１０のいずれか１項の方法を実行するように適合される、請求項１１又は１２に記載の無線デバイス。
【発明の詳細な説明】
【技術分野】
【０００１】
【背景技術】
【０００２】
３ＧＰＰ（3rd  Generation  Partnership  Project）は、ＵＭＴＳ（Universal  Mobile  Telecommunication  System）及びＬＴＥ（Long  Term  Evolution）の標準化に責任を負う。ＬＴＥに関する３ＧＰＰの取り組みはＥ−ＵＴＲＡＮ（Evolved  Universal  Terrestrial  Access  Network）とも呼ばれている。ＬＴＥは、ダウンリンクとアップリンクの両方において高データレートに到達することができる高速のパケットベース通信を実現するための技術であり、ＵＭＴＳに対する次世代モバイル通信システムと考えられている。高データレートをサポートするために、ＬＴＥは、２０ＭＨｚのシステム帯域幅、又はキャリアアグリゲーションを用いる場合には最大１００Ｈｚまでのシステム帯域幅を見込んでいる。ＬＴＥは異なる周波数帯域で動作することもでき、少なくとも、ＦＤＤ（Frequency  Division  Duplex）モード及びＴＤＤ（Time  Division  Duplex）モードで動作することができる。
【０００３】
ＬＴＥは、ダウンリンクではＯＦＤＭ（orthogonal  frequency-division  multiplexing）を、アップリンクではＤＦＴ拡散（discrete-Fourier-transform-spread）ＯＦＤＭを使用する。基本的なＬＴＥ物理リソースは、図１に示すように、時間−周波数グリッドとみなすことができ、その場合、各時間−周波数リソースエレメント（ＴＦＲＥ：time-frequency  resource  element）は、特定のアンテナポート上で、１ＯＦＤＭシンボルインターバルにおける１サブキャリアに対応する。１アンテナポートにつき１つのリソースグリッドがある。ＬＴＥにおけるリソース割り当てはリソースブロックの観点で記述され、１リソースブロックは、時間領域における１スロット及び周波数領域における１２個の連続した１５ｋＨｚサブキャリアに対応する。２つの時間的に連続するリソースブロックが１つのリソースブロックペアを表し、リソースブロックペアはスケジューリングが動作する時間インターバルに対応する。
【０００４】
アンテナポートは「仮想」アンテナであり、アンテナポート固有のリファレンス信号（ＲＳ：reference  signal）によって定義される。アンテナポートは、アンテナポート上のシンボルが搬送されるチャネルを、同じアンテナポート上の別のシンボルが搬送されるチャネルから推測することができるように定義される。アンテナポートに対応する信号は、複数の物理アンテナによって送信されるかもしれず、それらの物理アンテナがさらに地理的に分散されている可能性もある。言い換えると、アンテナポートは、１つ又は複数の送信ポイントから送信され得る。逆に、１つの送信ポイントが１つ又は複数のアンテナポートを送信する場合もある。アンテナポートは、互換可能に「ＲＳポート」とも呼ばれ得る。
【０００５】
マルチアンテナ技術は無線通信システムのデータレート及び信頼性を著しく高めることができる。送信機と受信機の両方がマルチアンテナを装備し、その結果としてＭＩＭＯ（multiple-input  multiple-output）通信チャネルが得られる場合、性能は特に改善される。そうしたシステム及び／又は関連技術は、一般に、ＭＩＭＯと呼ばれている。
【０００６】
ＬＴＥ規格は、現在、拡張ＭＩＭＯ（enhanced  MIMO）サポートと共に進化しつつある。ＬＴＥの中核となる構成要素が、ＭＩＭＯアンテナ配備及びＭＩＭＯ関連技術のサポートである。ＬＴＥリリース１０以上（ＬＴＥ−Ａｄｖａｎｃｅｄともいう）は、おそらくはチャネル依存のプリコーディングを用いた８レイヤの空間多重化のサポートを可能にする。そうした空間多重化は、良好なチャネル条件での高データレートを目指すものである。図２にプリコード空間多重化の例を示す。
【０００７】
図示のように、情報搬送シンボルベクトルｓは、ＮＴ次元ベクトル空間の部分空間において送信エネルギーを分散させるように働くＮＴ×ｒプリコーダ行列ＷＮＴ×ｒを乗じられ、ここで、ＮＴはアンテナポートの数に対応する。ｓ内のｒ個のシンボルは、各々、シンボルストリーム、いわゆるレイヤの一部であり、ｒは送信ランクと呼ばれる。このようにして、複数のシンボルを同じＴＦＲＥ上で同時に送信することができるため、空間多重化が達成される。レイヤの数ｒは、典型的には、現在のチャネル特性に適するように適応される。
【０００８】
さらに、プリコーダ行列は、多くの場合、あり得るプリコーダ行列のコードブックの中から選択され、典型的には、プリコーダ行列インジケータ（ＰＭＩ：precoder  matrix  indicator）によって指示され、ＰＭＩは、所与のランクについて、コードブック内の一意のプリコーダ行列を指定する。プリコーダ行列が正規直交列を有するように制限される場合には、プリコーダ行列のコードブックの設計は、グラスマン部分空間パッキング問題（Grassmannian  subspace  packing  problem）に相当する。
【０００９】
ｎとインデックスされたデータＴＦＲＥ上の受信ＮＲ×１ベクトルｙｎは、次式でモデル化される。
【００１０】
【数１】
0006290863.tif 000002
【００１１】
ここで、ｅｎは、ランダムプロセスの実現としてモデル化される、雑音＋干渉のベクトルである。ランクｒのためのプリコーダＷＮＴ×ｒは、周波数に対して一定、又は周波数選択的である、広帯域プリコーダとすることができる。
【００１２】
プリコーダ行列は、多くの場合、ＮＲ×ＮＴのＭＩＭＯチャネルＨの特性に適合するように選択され、結果としていわゆるチャネル依存プリコーディングが得られる。ＵＥフィードバックに基づくものである場合、このプリコーダ行列は、一般に閉ループプリコーディングと呼ばれ、本質的に、送信されるエネルギーのほとんどをＵＥへ搬送するという意味で強い部分空間へ送信エネルギーを集中しようと努める。加えて、プリコーダ行列は、チャネルを直交させようと努めるように選択されてもよく、これは、ＵＥにおける適正な線形等化後に、レイヤ間干渉が低減されることを意味する。
【００１３】
閉ループプリコーディングでは、ＵＥは、フォワードリンク、即ちダウンリンクにおけるチャネル測定に基づいて、ＬＴＥではｅＮｏｄｅＢ（evolved  NodeB）と呼ばれる基地局へ、使用すべき適切なプリコーダの推奨を送信する。大きい帯域幅をカバーすると想定される単一のプリコーダ（広帯域プリコーディング）がフィードバックされてもよい。チャネルの周波数変動に対応し、代わりに、周波数選択的なプリコーディングレポート、例えば１サブバンドにつき１つずつ複数のプリコーダをフィードバックすることも有益となり得る。これは、ＵＥへの後続の送信においてｅＮｏｄｅＢを支援するためのプリコーダ以外のエンティティのフィードバックも含む、チャネル状態情報（ＣＳＩ：channel  state  information）フィードバックのより一般的な場合の例である。よって、チャネル状態情報は、ＰＭＩ、チャネル品質インジケータ（ＣＱＩ：channel  quality  indicator）、又はランクインジケータ（ＲＩ：rank  indicator）のうちの１つ以上を含み得る。
【００１４】
信号及びチャネル品質推定は、最新の無線システムの基礎をなす部分である。雑音及び干渉の推定値は、復調器で使用されるのみならず、例えば、典型的にはｅＮｏｄｅＢ側でのリンク適応及びスケジューリング決定に使用される、チャネル品質インジケータ（ＣＱＩ）を推定する際にも重要な数量である。
【００１５】
式（１）における項ｅｎは、ＴＦＲＥにおける雑音及び干渉を表し、典型的には、分散や相関といった二次統計の観点で特性化される。干渉は、ＬＴＥの時間−周波数グリッドに存在するセル固有リファレンスシンボル（ＲＳ：reference  symbol）からの手法を含めて、いくつかの手法で推定することができる。そうしたＲＳは、図３に示されているリリース８のセル固有ＲＳ、ＣＲＳ（アンテナポート０〜３）、並びに、以下でより詳細に説明する、リリース１０で利用可能な新しいＣＳＩ  ＲＳにも相当し得る。ＣＲＳは共通リファレンス信号と呼ばれることもある。
【００１６】
干渉及び雑音の推定値は、様々な手法で形成されることができる。推定値は、セル固有ＲＳを含むＴＦＲＥに基づいて容易に形成されることができる。というのは、その場合、ｓｎ及びＷＮＴ×ｒが既知であり、Ｈｎはチャネル推定器によって与えられるからである。さらに、対象となるＵＥにスケジュールされるデータとのＴＦＲＥ上での干渉も、データシンボルｓｎが検出され次第、推定できることが分かる。というのは、それらのシンボルは、検出され次第、既知のシンボルとみなされ得るからである。後者の干渉は、代替的に、受信信号及び関心対象のＵＥに向けられた信号の二次統計に基づいて推定されることもでき、よっておそらくは、干渉項の推定の前に送信を復号する必要性が回避される。代替的に、所望信号がミュートされておりそのため受信信号が干渉のみに対応するＴＦＲＥ上で、干渉を測定することもできる。これには、干渉測定をより正確なものとすることができ、復号又は所望信号の減算を実行する必要がないために、ＵＥ処理が簡易になるという利点がある。
【００１７】
［チャネル状態情報リファレンス信号（ＣＳＩ−ＲＳ）］
ＬＴＥリリース１０では、チャネル状態情報を推定する目的で新しいリファレンスシンボルシーケンス、ＣＳＩ−ＲＳが導入された。ＣＳＩ−ＲＳは、以前のリリースにおいてチャネル状態情報を推定する目的で使用されたセル固有リファレンスシンボル（ＣＲＳ）をＣＳＩフィードバックの基礎とすることに優るいくつかの利点を提供する。第一に、ＣＳＩ−ＲＳは、データ信号の復調に使用されず、よって、同じ密度を必要としない。言い換えると、ＣＳＩ−ＲＳのオーバーヘッドは著しく小さい。第二に、ＣＳＩ−ＲＳは、ＣＳＩフィードバック測定を構成するためのはるかに柔軟な手段を提供する。例えば、どのＣＳＩ−ＲＳリソース上で測定すべきかをＵＥに固有のやり方で構成することができる。さらに、４より大のアンテナ構成のサポートはＣＳＩ−ＲＳに頼らなければならない。というのは、ＣＲＳは多くとも４アンテナについてしか定義されないからである。
【００１８】
ＣＳＩ−ＲＳ上での測定を行うことにより、ＵＥは、電波伝搬チャネル、アンテナ利得、及び任意のあり得るアンテナ仮想化を含む、ＣＳＩ−ＲＳがトラバースしている実効チャネルを推定することができる。ＣＳＩ−ＲＳポートは、複数の物理アンテナポート上で仮想化されるようにプリコードされ得る。即ち、ＣＳＩ−ＲＳポートは、おそらくは異なる利得及び位相を有する複数の物理アンテナポート上で送信されることができる。より数学的に厳密にいうと、これは、既知のＣＳＩ−ＲＳ信号ｘｎが送信される場合、ＵＥは、送信信号と受信信号との間のカプリング、即ち、実効チャネルを推定することができることを示唆する。よって、送信において仮想化が行われない場合、
【００１９】
【数２】
0006290863.tif 000003
【００２０】
であり、ＵＥは実効チャネルＨｅｆｆ＝Ｈｎを測定することができる。同様に、ＣＳＩ−ＲＳがプリコーダＷＮＴ×ｒを用いて、
【００２１】
【数３】
0006290863.tif 000004
【００２２】
として仮想化される場合、ＵＥは、実効チャネルＨｅｆｆ＝ＨｎＷＮＴ×ｒを推定することができる。
【００２３】
ＣＳＩ−ＲＳに関連するのが、単に通常のＣＳＩ−ＲＳリソースとして構成されるゼロ電力ＣＳＩ−ＲＳリソース（ミュートされたＣＳＩ−ＲＳともいう）の概念であり、それにより、ＵＥはデータ送信がそれらのリソースの周辺にマッピングされることを知る。ゼロ電力ＣＳＩ−ＲＳリソースの意図は、近隣のセル／送信ポイントにおいて送信される可能性のある、対応する非ゼロ電力ＣＳＩ−ＲＳのＳＩＮＲを増強するように、ネットワークが対応するリソース上での送信をミュートすることを可能にすることである。ＬＴＥのリリース１１については、ＵＥが干渉＋雑音の測定に使用するよう義務付けられる専用のゼロ電力ＣＳＩ−ＲＳが議論されている。その名が示すように、ＵＥは、対象ＴＰがミュートされたＣＳＩ−ＲＳリソース上で送信を行っておらず、したがって、受信電力を干渉＋雑音レベルの測定値として使用できると想定することができる。
【００２４】
指定されたＣＳＩ−ＲＳリソース及び干渉測定構成、例えばミュートされたＣＳＩ−ＲＳリソースに基づき、ＵＥは、実効チャネル及び雑音＋干渉を推定することができ、したがって、特定のチャネルに最も良好に適合するものとしてどのランク、プリコーダ、及びトランスポートフォーマットを推奨すべきかを判定することもできる。
【００２５】
［協調マルチポイント送信（ＣｏＭＰ）］
ＣｏＭＰ送信及び受信とは、システム性能を改善するために、複数の地理的に分離されたアンテナサイトにおける送信及び／又は受信を協調させるシステムをいう。より具体的には、ＣｏＭＰとは、異なる地理的カバレッジエリアを有するアンテナアレイの協調をいう。以下の考察では、本質的に同じ地理的領域を同じようにカバーするアンテナのセットを、ポイント、より具体的には送信ポイント（ＴＰ：Transmission  Point）と呼ぶ。よって、ポイントは、あるサイトにおけるセクタのうちの１つにも対応し得るが、全てが同様の地理的領域をカバーするように意図される１つ以上のアンテナを有するサイトにも対応し得る。多くの場合、異なるポイントは異なるサイトを表す。アンテナは、十分に地理的に分離されている場合であって、及び／又は十分に異なる方向を指し示すアンテナダイアグラムを有する場合に、異なるポイントに対応する。本開示は、主に、ダウンリンクＣｏＭＰ送信に注目したものであるが、送信ポイントは、一般に、受信ポイントとしても機能し得ることを理解すべきである。ポイント間の協調は、異なるサイト間の直接通信によって、又は中央協調ノードによって分散されることができる。協調送信及び／又は受信を実行するポイントのセットを、以下では、ＣｏＭＰ協調クラスタ、協調クラスタ、又は単にクラスタと呼ぶ。
【００２６】
図５に、ＴＰ１、ＴＰ２、及びＴＰ３で表される３つの送信ポイントを含むＣｏＭＰ協調クラスタを有する無線ネットワークの例を示す。
【００２７】
ＣｏＭＰは、高データレートのカバレッジ、セル−エッジスループットを改善し、及び／又はシステムスループットを増やすためにＬＴＥにおいて導入されるツールである。特に、その目標は、干渉を低減することによって、及び／又は干渉のより適切な予測によって、システムにおける干渉を管理することにより、ネットワークにおいてユーザに知覚される性能をより均一に分配することである。
【００２８】
ＣｏＭＰ動作は多くの異なる配備を対象とし、これには、セルラーマクロ配備におけるサイト間及びセクタ間の協調、並びに、例えば、マクロノードがマクロカバレッジエリア内のピコノードとの送信を協調させるヘテロジーニアス配備の構成間の協調を含む。
【００２９】
例えば以下のような、考察対象とされる多くの異なるＣｏＭＰ送信方式がある。
「ダイナミックポイントブランキング（Dynamic  Point  Blanking）」、有意な干渉を受けるＵＥに割り当てられている時間−周波数リソース（ＴＦＲＥ）上の送信を近隣の送信ポイントがミュートするように、複数の送信ポイントが送信を協調させる。
「協調ビーム形成（Coordinated  Beamforming）」、ＴＰは、近隣のＴＰによってサービスされるＵＥへの干渉が抑圧されるように送信電力をビーム形成することによって、空間領域において送信を協調させる。
「動的ポイント選択（Dynamic  Point  Selection）」、ＵＥへのデータ送信は、異なる送信ポイント間で（時間及び周波数において）動的に切り換わり、そのため、各送信ポイントが十分に利用される。
「結合送信（Joint  Transmission）」、ＵＥへの信号は同じ時間／周波数リソース上で複数のＴＰから同時に送信される。結合送信の目的は、協調するＴＰが、上記ＪＴ  ＵＥを考慮に入れずに何らかの他のＵＥにサービスするはずであったところ、そうではなく、受信信号電力を増加させ、及び／又は受信干渉を低減させることである。
【００３０】
［ＣｏＭＰフィードバック］
ＣｏＭＰ送信方式の共通点は、ネットワークが、サービングＴＰのためのみならず、端末を近隣ＴＰにリンクするチャネルのためにもＣＳＩ情報を必要とすることである。例えば、ＴＰごとに一意のＣＳＩ−ＲＳリソースを構成することによって、ＵＥは、対応するＣＳＩ−ＲＳ上での測定により、ＴＰごとの実効チャネルを解決することができる。ＵＥは、特定のＴＰの物理的存在を知らない可能性が高く、ＣＳＩ−ＲＳリソースとＴＰとの間のいかなる関連付けも知らずに、特定のＣＳＩ−ＲＳリソース上で測定を行うように構成されるにすぎないことに留意されたい。
【００３１】
リソースブロックペア内のどのリソースエレメントがＵＥ固有ＲＳ及びＣＳＩ−ＲＳによって潜在的に占有され得るかを示す詳細な例が図４に示されている。この例では、ＣＳＩ−ＲＳは長さ２の直交カバーコードを利用して、２つの連続するＲＥ上で２つのアンテナポートを重畳する。図示のように、多くの異なるＣＳＩ−ＲＳパターンを利用できる。２ＣＳＩ−ＲＳアンテナポートの場合には、例えば、１サブフレーム内に２０個の異なるパターンがある。対応するパターンの数は、４ＣＳＩ−ＲＳアンテナポート及び８ＣＳＩ−ＲＳアンテナポートについて、それぞれ、１０個及び５個である。
【００３２】
ＣＳＩ−ＲＳリソースは、特定のＣＳＩ−ＲＳ構成がその上で送信されるリソースエレメントのパターンとして記述され得る。ＣＳＩ−ＲＳリソースを決定する１つの手法は、ＲＲＣシグナリングによって構成され得るパラメータ「resourceConfig」、「subframeConfig」、及び「antennaPortsCount」の組み合わせによるものである。
【００３３】
いくつかの異なる種類のＣｏＭＰフィードバックが可能である。ほとんどの代替方法はＣＳＩ−ＲＳリソースごとのフィードバックに基づくものであり、おそらくは複数のＣＳＩ−ＲＳリソースのＣＱＩ集約を伴い、またおそらくは、ＣＳＩ−ＲＳリソース間のある種の位相整合（co-phasing）情報も伴う。以下は、関連性のある代替方法の非網羅的リストである（これらの代替方法のいずれかの組み合わせも可能であることに留意されたい）。
【００３４】
「ＣＳＩ−ＲＳリソースごと（Per  CSI-RS）のフィードバック」は、ＣＳＩ−ＲＳリソースのセットの各々についてのチャネル状態情報（ＣＳＩ）の別々のレポーティングに相当する。そうしたＣＳＩレポートは、例えば、プリコーダ行列インジケータ（ＰＭＩ）、ランクインジケータ（ＲＩ）、及び／又はチャネル品質インジケータ（ＣＱＩ）のうちの１つ以上を含んでいてよく、これらは、関連付けられるＣＳＩ−ＲＳに使用される同じアンテナ、又はチャネル測定に使用されるＲＳ上の仮定的ダウンリンク送信のための推奨される構成を表す。より一般的には、推奨される送信は、ＣＳＩチャネル測定に使用されるリファレンスシンボルと同様に物理アンテナにマッピングされるべきである。
【００３５】
典型的には、ＣＳＩ−ＲＳとＴＰとの間には１対１マッピングがあり、その場合、ＣＳＩ−ＲＳリソースごとのフィードバックはＴＰごとのフィードバックに対応する。即ち、ＴＰごとに別個のＰＭＩ／ＲＩ／ＣＱＩがレポートされる。ＣＳＩレポート間に相互依存関係が存在し得るはずであることに留意されたい。例えば、各ＣＳＩレポートは、同じＲＩを有するように制約され得るはずである。ＣＳＩレポート間の相互依存関係には、例えば、ＵＥがフィードバックを算出する際のサーチ空間の低減、フィードバックオーバーヘッドの低減、ＲＩの再利用の場合にｅＮｏｄｅＢでランクオーバーライドを実行する必要性が低減される、といった多くの利点がある。
【００３６】
考察されるＣＳＩ−ＲＳリソースは、ｅＮｏｄｅＢによってＣｏＭＰ測定セットとして構成される。図５に示す例では、無線デバイス５４０及び５５０のために異なる測定セットが構成され得る。例えば、無線デバイス５４０のための測定セットはＴＰ１及びＴＰ２によって送信されるＣＳＩ−ＲＳリソースからなっていてよい。というのは、これらのポイントがデバイス５４０への送信に適し得るからである。無線デバイス５５０のための測定セットは、そうではなく、ＴＰ２及びＴＰ３によって送信されるＣＳＩ−ＲＳリソースからなるように構成され得る。無線デバイスは、デバイスそれぞれの測定セットに対応する送信ポイントについてＣＳＩ情報をレポートすることになり、それによって、ネットワークが、例えば、デバイスごとに最適な送信ポイントを選択することが可能になる。
【００３７】
「集約フィードバック（Aggregate  feedback）」は、複数のＣＳＩ−ＲＳの集約に対応するチャネルについてのＣＳＩレポートに相当する。例えば、複数のＣＳＩ−ＲＳと関連付けられる全てのアンテナ上の結合送信について結合的なＰＭＩ／ＲＩ／ＣＱＩを推奨することができる。
【００３８】
しかしながら、結合的なサーチはＵＥにとって計算要求が過大となる場合があり、簡略化された集約の形態は、ＣＳＩ−ＲＳリソースごとのＰＭＩと組み合わされた集約ＣＱＩを評価することであり、ＣＳＩ−ＲＳリソースごとのＰＭＩは、典型的には全て、集約された１つ若しくは複数のＣＱＩに対応する同じランクのものとなるはずである。そうした方式には、集約されたフィードバックがＣＳＩ−ＲＳリソースごとのフィードバックとほとんどの情報を共用し得るという利点もある。これが有益なのは、多くのＣｏＭＰ送信方式がＣＳＩ−ＲＳリソースごとのフィードバックを必要とし、ＣｏＭＰ方式を動的に選択する際のｅＮｏｄｅＢの柔軟性を可能にするために、集約されたフィードバックは、典型的には、ＣＳＩ−ＲＳリソースごとのフィードバックと並行して送信されるはずだからである。コヒーレントな結合送信をサポートするために、そうしたＣＳＩ−ＲＳリソースごとのＰＭＩを位相整合情報で増強することができ、それにより、信号が受信側でコヒーレントに合成されるようにｅＮｏｄｅＢがＣＳＩ−ＲＳリソースごとのＰＭＩを回転させることが可能となる。
【００３９】
［ＣｏＭＰのための干渉測定］
効率的なＣｏＭＰ動作のためには、ＣＳＩを決定する際に適切な干渉の想定を捕捉することが、適切な受信所望信号を捕捉することが重要であるのと同等に重要である。
【００４０】
本開示の目的のために、ＣＳＩ処理は、特定の実効チャネルについてのＣＳＩ（例えば、ＣＱＩ、及び潜在的に関連付けられるＰＭＩ／ＲＩ）及び干渉測定リソースのレポーティング処理として定義される。オプションとして、ＣＳＩ処理は、後に説明されるような、１つ以上の干渉エミュレーション構成に関連付けられてもよい。実効チャネルは、１つ又は複数の関連付けられるリファレンスシーケンスを含むリファレンス信号リソースによって定義される。干渉測定リソースは、所望信号に干渉していると想定される１つ以上の信号が受信されるリソースエレメントのセットである。ＩＭＲは、特定のＣＱＩリファレンスリソース、例えばＣＲＳリソースに対応し得る。代替的に、ＩＭＲは、干渉を測定するために特別に構成されるリソースであってもよい。
【００４１】
非協調システムでは、ＵＥは、他の全てのＴＰ（又は他の全てのセル）から観測される干渉を効果的に測定することができ、それは来たるべきデータ送信において関連性のある干渉レベルとなる。そうした干渉測定は、典型的には、ＵＥがＣＲＳ信号の影響を差し引いた後のＣＲＳリソース上の残余の干渉を解析することにより実行される。ＣｏＭＰを実行する協調システムでは、そうした干渉測定は、ますます関連性を失う。最も顕著なのは、ｅＮｏｄｅＢが、協調クラスタの内部で、任意の特定のＴＦＲＥにおいてどのＴＰがＵＥに干渉するかをかなりの部分まで制御することができることである。よって、どのＴＰが他の端末へデータを送信しているかに依存して、複数の干渉仮説（interference  hypotheses）が存在することになる。
【００４２】
改善された干渉測定の目的のために、ＬＴＥリリース１１において新たな機能性が導入され、そこで合意されたのは、特定のＵＥについての干渉測定のためにどの特定ＴＦＲＥを使用すべきかをネットワークが構成できるようにすることであり、これは干渉測定リソース（ＩＭＲ）として定義される。よって、ネットワークは、例えば関連付けられるＴＦＲＥ上の協調クラスタの内部で全てのＴＰをミュートすることにより、ＩＭＲ上で感知される干渉を制御することができ、この場合、端末はＣｏＭＰクラスタ間の干渉を効果的に測定することになる。図５に示した例において、これはＩＭＲに関連付けられるＴＦＲＥにおいてＴＰ１、ＴＰ２及びＴＰ３をミュートすることに対応するであろう。
【００４３】
例えば、特定のＵＥについて少なくとも２つの関連性のある干渉仮説が存在する、ダイナミックポイントブランキング方式を考慮されたい：１つの干渉仮説において、ＵＥは、協調している送信ポイントからの干渉を感知しない；他の仮説において、ＵＥは、隣接ポイントからの干渉を感知する。ＴＰをミュートすべきか否かをネットワークが効果的に決定することを可能とするために、ネットワークは、異なる干渉仮説に対応する２つの又は一般には複数のＣＳＩをレポートするようにＵＥを構成し得る−即ち、異なる干渉の状況に対応する２つのＣＳＩ処理が有り得る。図５の例を続け、無線デバイス５５０がＴＰ３からのＣＳＩを測定するように構成されるものとする。しかしながら、ＴＰ２は、ネットワークがどのように送信をスケジューリングするかに依存して、ＴＰ２からの送信に潜在的に干渉し得る。よって、ネットワークは、ＴＰ３のために（又は、より具体的には、ＴＰ３により送信されるＣＳＩ−ＲＳの測定のために）２つのＣＳＩ処理でデバイス５５０を構成し得る。１つのＣＳＩ処理は、ＴＰ２がサイレントであるという干渉仮説に関連付けられ、他のＣＳＩ処理は、ＴＰ３が干渉信号を送信しているという仮説に対応する。
【００４４】
こうした方式を容易化するために、複数のＩＭＲを構成することが提案されており、そこではネットワークが対応するＩＭＲにおいて関連性のある各干渉仮説を実現することに責任を負う。よって、特定のＩＭＲを特定のＣＳＩ処理に関連付けることにより、関連性のあるＣＳＩ情報、例えばＣＱＩを、効果的なスケジューリングのためにネットワークにとって利用可能とすることができる。図５の例では、ネットワークは、例えば、１つのＩＭＲをＴＰ２のみが送信中となるように構成し、他のＩＭＲをＴＰ２及びＴＰ３の双方がサイレントとなるように構成し得る。そして、各ＣＳＩ処理は、異なるＩＭＲに関連付けられ得る。
【００４５】
ＩＭＲに基づく測定と併用され得る干渉を推定するための他のアプローチは、例えば、干渉仮説について干渉源であると想定される送信ポイントの各々からの等方的（isotropic）な送信を想定することにより、干渉仮説に従って協調ポイントの範囲内からの干渉を端末にエミュレートさせることである。これは、協調送信ポイントからの干渉の無い単一のＩＭＲ上で、端末が干渉測定を実行することで十分であり得るという利点を有し、そこから干渉仮説の各々が導出される。例えば、その残余の干渉及び雑音が、複素ガウシアンランダムプロセスとして端末により測定され、特性化されるものとする。
【００４６】
【数４】
0006290863.tif 000005
【００４７】
ここで、Ｑｅは相関行列であり、ｅｎの要素は受信アンテナの各々上の干渉の実現に対応する。そして、端末は、実効チャネルＨｅｆｆを次のように測定した送信ポイントからのＣｏＭＰクラスタ内干渉をエミュレートすることにより、特定のＣｏＭＰ干渉仮説に対応するように残余の干渉を補正することができる。
【００４８】
【数５】
0006290863.tif 000006
【００４９】
ここで、ｑｎは特定の名目電力の等方ランダム信号である。但し、ＣｏＭＰクラスタ内干渉を端末がエミュレートできるために、端末は、干渉を加えるべき対象の各ポイントについて信頼性のあるチャネル推定を取得する必要があり、これは関連付けられるリファレンス信号が既知であって十分に高いＳＩＮＲを有しなければならないことを意味すること、に留意されたい。
【００５０】
干渉のエミュレーションが適用される場合、ＣＳＩ処理は、１つ以上の干渉エミュレーション構成にさらに対応し得る。各干渉エミュレーション構成は、想定される干渉源（interferer）から受信されるリファレンス信号に関連付けられる。無線デバイスは、各干渉エミュレーション構成について、関連付けられるリファレンス信号に基づいて実効チャネルをエミュレートする。そして、無線デバイスは、当該構成について推定した実効チャネルに基づいて、各干渉エミュレーション構成について干渉を推定する。上で説明したように、干渉をエミュレートする１つの手法は、等方ランダム信号をチャネル推定に乗算することである。
【００５１】
１つ以上のＩＭＲ及び／又は干渉エミュレーション構成にＣＳＩ処理を関連付ける可能性は、ネットワークがリンク適応及びスケジューリング決定を行うためのより良好な基礎を取得することを可能とするものの、チャネル状態情報を決定する際のさらなる改善の余地が依然として存在する。
【発明の概要】
【発明が解決しようとする課題】
【００５２】
本発明の目的は、チャネル状態情報を決定するための改善されたメカニズムを提供することである。
【課題を解決するための手段】
【００５３】
本明細書で開示するいくつかの実施形態は、チャネル状態情報（ＣＳＩ）をレポートするための無線デバイスにおける方法を提供する。無線デバイスは、無線通信システム５００に含まれる。方法は、ネットワークノードから、ＣＳＩ処理構成とＣＳＩ情報についての要求とを受信することを含む。さらに、無線デバイスは１つ以上のＣＳＩ処理についてＣＳＩをレポートし、当該ＣＳＩは、ＣＳＩリファレンスリソースについてのチャネルの状態を反映するように決定される。この方法によれば、ＣＳＩリファレンスリソースは、構成されるＣＳＩ処理の数に基づいて決定される。
【００５４】
いくつかの実施形態は、ＣＳＩをレポートするための無線デバイスを提供する。無線デバイスは、ネットワークノードから、ＣＳＩ処理構成とＣＳＩ情報についての要求とを受信するように適合される。無線デバイスは、１つ以上のＣＳＩ処理についてＣＳＩをレポートするようにさらに適合され、当該ＣＳＩは、ＣＳＩリファレンスリソースについてのチャネルの状態を反映するように決定される。さらに、ＣＳＩリファレンスリソースは、構成されるＣＳＩ処理の数に基づいて決定される。
【００５５】
さらに別の実施形態は、ＣＳＩをレポートするためのユーザ機器を提供する。ユーザ機器は、プロセッサとメモリとを含む。メモリは、実行されると、ユーザ機器を、ネットワークノードから、ＣＳＩ処理構成とＣＳＩ情報についての要求とを受信するように構成させ、ユーザ機器を、１つ以上のＣＳＩ処理についてＣＳＩをレポートするようにさらに構成させる命令を含み、当該ＣＳＩは、ＣＳＩリファレンスリソースについてのチャネルの状態を反映するように決定され、ＣＳＩリファレンスリソースは、構成されるＣＳＩ処理の数に基づいて決定される。
【００５６】
本明細書で開示するいくつかの実施形態の利点は、受け入れ可能であって大規模なＣｏＭＰフィードバック構成のためでもあるサポートを維持しながらも、無線デバイスの必要とされるピーク処理ケイパビリティを低減することができることである。これは、いくつかの実施形態では、ＣＳＩリファレンスリソースの位置をある（１つ又は複数の）パラメータに、例えば構成されるＣＳＩ処理の数に依存させることによって可能とされ、それにより、必要とされるであろうときに無線デバイスのためのＣＳＩ処理時間ウィンドウが効果的に増やされる。
【図面の簡単な説明】
【００５７】
【発明を実施するための形態】
【００５８】
特定のＣＳＩ処理のためのＣＳＩレポートの決定に伴うＵＥにおける典型的な処理を、以下のように分けることができる。
１）上記特定のＣＳＩ処理についての所望の実効チャネルを定義する少なくとも１つのリファレンス信号を受信すること。
２）上記特定のＣＳＩ処理と関連付けられる特定の干渉測定リソース（ＩＭＲ）上の干渉及び雑音を受信すること。
３）上記受信した少なくとも１つのリファレンス信号から所望の実効チャネルを推定／決定すること。
４）上記受信した干渉及び雑音から、受信した干渉及び雑音の共分散、即ちレベルを推定すること。
５）コードブック内の各送信ランク及びプリコーダの性能を評価すること。
６）最高の性能に対応するＰＭＩ及びＲＩ（典型的には、１０％という目標ＢＬＥＲを超えずに最高のスループットをもたらすＰＭＩとＲＩの組み合わせ）を選択すること。
７）１０％という目標ＢＬＥＲを超えない最高のＣＱＩ（推奨されるトランスポートブロックサイズ）の選択を含めて、選択されたＰＭＩ／ＲＩについてのＣＱＩ（又はランク＞１の場合は複数のＣＱＩ）を決定すること。
【００５９】
これらのステップの各々は、典型的なＵＥ実装において無視できないほどの処理負荷を伴う。特に、上記のステップ５）からステップ７）は相当量の処理を伴う。さらに、これら処理要求の大きいステップは、ステップ１）からステップ４）までの前に実行可能ではない。
【００６０】
ＵＥは、特定のリファレンス信号の受信後、又は特定の干渉測定の実行後ある一定のタイムフレーム内に、ＣＳＩを処理する必要がある。この要件は規格に符号化されていてよく、例えば、規格は、ＵＥが、対応するＣＳＩ−ＲＳが送信されるサブフレームのある一定数のサブフレーム（例えば４サブフレーム）後にＣＳＩをレポートすることができなければならないと規定し得る。先行技術によれば、このタイミング要件は静的であり、同じタイミング要件が全てのＵＥ及び全てのＣＳＩレポートに適用されることに留意すべきである。例えば、３ＧＰＰ  ＬＴＥでは、処理タイムフレームはいわゆるＣＳＩリファレンスリソースによって決定され、これは、ＣＳＩレポートが送信されるタイムフレームの４サブフレーム前に（又はこの例の前の最初の有効なダウンリンクサブフレームで）行われる。厳密にいうと、ＣＳＩリファレンスリソースは、ＣＳＩレポートが、それについてのチャネルの状態を正確に反映すべきである特定のサブフレームを指定し、又はその特定のサブフレームによって定義される。これが示唆するのは、ＵＥは、ＣＳＩレポートを、このサブフレームの前に、リファレンス信号とこのサブフレーム内に受信される干渉及び雑音とに基づかせる必要があることである。図８ａも参照されたい。
【００６１】
ＵＥが複数のＣＳＩ処理で構成されるシナリオでは、対応するリファレンス信号リソース及びＩＭＲの一部又は全部が同じサブフレームで発生する可能性があり、その場合には、ＵＥが指定のタイムフレーム内に全ての必要なＣＳＩ情報を決定することが難しくなりかねない。
【００６２】
ＵＥの処理バジェットから見ると、最悪のシナリオは、複数のＣＳＩ処理と関連付けられる全てのＩＭＲ及び全てのリファレンス信号が全て、単一のサブフレームにおいて発生することである。なぜなら、その場合、全てのＣＳＩ処理が同時に計算されなければならないからである。そうしたシナリオは、例えば、ＵＥのために構成された全てのゼロ電力ＣＳＩ−ＲＳが同じサブフレームのオフセット及び周期性構成を共用することになれば、起こり得るはずである。というのは、これは、ミューティングが構成され得るのがある期間内の単一のサブフレームについてのみであることを意味するはずだからである。ＣＳＩ−ＲＳの送信は、典型的には、（受信ＣＳＩ−ＲＳ信号上のＳＩＮＲを増強するための）近隣の送信ポイントにおける対応するミューティングと一致すべきであるため、ＣＳＩ−ＲＳの送信は、実際には、ミューティング構成と同じサブフレームに制限されるはずである。よって、最悪のシナリオが実際に発生し得る可能性が極めて高い。
【００６３】
そうした状況が図６に示されており、図６で、ＵＥは、処理時間後のレポーティングが更新されたレポートを含むことになるように、受信（上記ステップ１及び２）後所定の処理時間の間にＣＳＩ処理を完遂する必要がある。この最悪のシナリオをうまく処理するようにＵＥを設計することは、非常に高い実装コストをもたらし得る。この問題は、規格において大きいＣｏＭＰ測定セットサイズがサポートされる場合、及び／又は規格によって多数の並列のＣＳＩ処理がサポートされる場合に、特に深刻になる。
【００６４】
よって、上述の問題への可能な解決策は、ＣｏＭＰ測定セットのサイズ及び／又は並列ＣＳＩ処理の数を制限することになるはずである。これは、ＵＥに課される処理要件を低減することになるが、その一方で、ＣｏＭＰの潜在的な利益を十分に活用できないことを意味する。
【００６５】
したがって、いくつかの実施形態の基本概念は、デバイス固有、又はＣＳＩ処理固有とすることのできる、最大ＣＳＩ処理時間ともいう、処理時間ウィンドウを導入することによって、ＣＳＩレポーティングのための無線デバイスのピーク処理要件を低減することである。この最大処理時間は、例えば、サブフレーム数又はミリ秒で表され得る。時間ウィンドウの長さは、例えば、無線デバイスについて構成されるＣＳＩ処理の総数、或いはＣＳＩ−ＲＳリソースの数に依存し得る。例えば、ＣＳＩリファレンスリソースは、構成されるＣＳＩ−ＲＳリソースの数又はＣＳＩ処理の数に依存し得る。
【００６６】
図５には、本発明の様々な実施形態が実装され得る無線通信システムの例５００が示されている。３つの送信ポイント５１０、５２０、及び５３０は、ＣｏＭＰ協調クラスタを形成している。以下では、限定ではなく例示の目的で、通信システム５００はＬＴＥシステムであるものとする。送信ポイント５１０、５２０、及び５３０は、ｅＮｏｄｅＢ５６０によって制御される、リモート無線ユニット（ＲＲＵ）である。代替のシナリオ（不図示）では、送信ポイントを別個のｅＮｏｄｅＢによって制御することもできるはずである。一般には、各ネットワークノード、例えばｅＮｏｄｅＢは、１つ以上の送信ポイントを制御してよく、送信ポイントは、ネットワークノードと物理的に同じ場所にあっても、地理的に分散されていてもよい、ことを理解すべきである。図５に示すシナリオでは、送信ポイント５１０、５２０、及び５３０は、例えば、光ケーブルやポイントツーポイントマイクロ波接続によってｅＮｏｄｅＢ５６０に接続されるものと想定される。クラスタを形成する送信ポイントの一部又は全部が異なるｅＮｏｄｅＢによって制御される場合には、それらのｅＮｏｄｅＢは、送信及び受信の可能な協調のための情報を交換できるように、例えばトランスポートネットワークによって、相互に接続されるものと想定されるはずである。
【００６７】
本明細書の例は例示の目的でｅＮｏｄｅＢに言及しているが、本発明は任意のネットワークノードに適用されることを理解すべきである。本開示で使用する「ネットワークノード」という表現は、任意の無線基地局、例えば、ｅＮｏｄｅＢ、ＮｏｄｅＢ、ホームｅＮｏｄｅＢ若しくはホームＮｏｄｅＢ、又はＣｏＭＰクラスタの全部又は一部を制御する任意の他の種類のネットワークノードを包含すべきことが意図されている。
【００６８】
通信システム５００は、２つの無線デバイス５４０及び５５０をさらに含む。本開示のコンテキスト内では、「無線デバイス」という用語は、無線信号の送信及び／又は受信によって、基地局といったネットワークノードと、又は別の無線デバイスと通信することができる任意の種類の無線ノードを包含するものである。よって、「無線デバイス」という用語は、それだけに限らないが、ユーザ機器、移動端末、マシンツーマシン通信のための固定式若しくは移動式の無線デバイス、一体化され、若しくは埋め込まれた無線カード、外部から差し込まれる無線カード、ドングルなどを包含するものである。無線デバイスはネットワークノード、例えば基地局であってもよい。本開示全体を通して、「ユーザ機器」という用語が使用される場合は常に、これを限定的と解釈すべきではなく、上記のいずれかの無線デバイスを包含するものと理解すべきである。
【００６９】
いくつかの実施形態では（図８ｃ参照）、無線デバイスはＣＳＩ処理についてＣＳＩをレポートする。
【００７０】
無線デバイスは、ネットワークノードから、ＣＳＩ処理構成とＣＳＩ要求とを受信する。
【００７１】
無線デバイスは、構成されるＣＳＩ処理に対応するＣＳＩ−ＲＳリソース及び干渉測定リソース上で測定を実行する。測定があるサブフレームで実行される際に、無線デバイスは、対応するＣＳＩ処理についてのチャネル状態情報を決定する目的で、受信情報の処理を開始することになる。しかしながら、上述のように、この処理は、完了するのにある一定の時間量を要することになる。特定の干渉測定リソースが複数のＣＳＩ処理によって共用されてもよく、その場合、干渉測定は、特定のサブフレームにおいて一度実行しさえすればよいことに留意すべきである。
【００７２】
同様に、所望信号のリファレンス信号も複数のＣＳＩ処理によって共用されてよく、その場合、関連付けられるチャネル推定は、特定のサブフレームにおいて一度実行しさえすればよい。
【００７３】
無線デバイスは、続いて、１つ以上の処理についてＣＳＩをレポートし、ＣＳＩは、ＣＳＩリファレンスリソースにおいて、及び／又はＣＳＩリファレンスリソースに先立って実行される測定に基づいて決定される。無線デバイスは、構成されるＣＳＩ−ＲＳリソースの数、構成されるＣＳＩ処理の数、又は同じサブフレームで発生する構成されるＣＳＩ−ＲＳリソースの数、のうちの１つ以上に依存してＣＳＩリファレンスリソースを決定する。
【００７４】
例えば、無線デバイスは、構成されるＣＳＩ−ＲＳリソースの数に基づいて、及び／又は構成されるＣＳＩ処理の数に基づいて数ｎＣＱＩ＿ｒｅｆを決定してよく、ｎＣＱＩ＿ｒｅｆは、（図８ａに示すように）ＣＳＩレポートが送信されるサブフレームに対して相対的なＣＳＩリファレンスリソースの位置を表す。ある特定の例では、ｎＣＱＩ＿ｒｅｆは、構成されるＣＳＩ処理の数と共に増加する。言い換えると、構成されるＣＳＩ処理の数が増加するとｎＣＱＩ＿ｒｅｆも増加する。
【００７５】
具体例として、構成されるＣＳＩ−ＲＳの数（又は構成されるＣＳＩ処理の数）が２を上回る場合、ｎＣＱＩ＿ｒｅｆは５に設定され、そうでない場合ｎＣＱＩ＿ｒｅｆは４に設定される。これは、多数のＣＳＩ−ＲＳ（又はＣＳＩ処理）のために無線デバイスにおいて必要とされる追加的な処理時間を考慮したものである。言い換えると、構成されるＣＳＩ−ＲＳの数（又はＣＳＩ処理の数）が２を上回る場合、ＣＳＩリファレンスリソースは、ＣＳＩがレポートされる際のサブフレームの５サブフレーム前になるように決定され、そうでない場合、ＣＳＩリファレンスリソースは、ＣＳＩがレポートされる際のサブフレームの４サブフレーム前になるように決定される。
【００７６】
一変形例では、ＣＳＩリファレンスリソースは、無線デバイスに固有である。例えば、無線デバイスは、そのデバイスのために構成される全てのＣＳＩ処理に適用される１つの数ｎＣＱＩ＿ｒｅｆを決定する。
【００７７】
いくつかの実施形態では、ＣＳＩリファレンスリソースは、ＣＳＩ処理固有である。図８ｄを参照されたい。例えば、無線デバイスは、図８ｂに例示されるように、ＣＳＩ処理ごとに異なる値ｎＣＱＩ＿ｒｅｆを取得し、又は決定する。
【００７８】
ある特定の変形例では、無線デバイスは、ネットワークノードから、ＣＳＩ処理ごとのＣＳＩリファレンスリソースを指示する情報を受信する。具体例として、無線デバイスは、ネットワークノードから、ＣＳＩ処理ごとの値ｎＣＱＩ＿ｒｅｆを、例えば、ダウンリンク制御情報の一部として、或いはＣＳＩ処理構成情報に含めて、或いはＲＲＣメッセージといった別個のメッセージにおいて受信する。これによりネットワークノードは、異なるＣＳＩ処理間で優先度化すること、言い換えると、どのＣＳＩ処理が最初に処理されるか制御することができる。
【００７９】
別の可能性として、無線デバイスは、ＣＳＩ処理ごとの優先度標識を受信し、又は決定する。以下で説明するように、優先度標識は、異なるＣＳＩ処理間の前後関係（causality）に基づいて決定され得る。例えば、２つのＣＳＩ処理が、第１のＣＳＩ処理のランクが第２のＣＳＩ処理に再利用できるように関連付けられていてよく、その場合、第１のＣＳＩ処理は（第１の処理が第２の処理の前に処理されるべきであることを指示する）より高い優先度を有するはずである。その場合、ＣＳＩ処理ごとのＣＳＩリファレンスリソースは、優先度に基づいて決定される。
【００８０】
図８ｅ〜図８ｆに、ネットワークノードにおける対応する実施形態を示す。
【００８１】
図８ｃ〜図８ｆに示す方法は、図５に示すネットワークにおいて実装され得る。
【００８２】
いくつかの実施形態は、ＣＳＩ処理の特定のＣＳＩ処理についての処理時間ウィンドウを提供し、処理時間ウィンドウの長さは、ＣＳＩレポーティング構成が、計算複雑性の高い構成に対応する場合に増加する。例えば、処理時間ウィンドウは、構成されるＣＳＩ処理及び／又は構成ＣＳＩ−ＲＳの数の増加と共に増加し得る。処理時間ウィンドウは、「最大ＣＳＩ処理時間」又は「許容されるＣＳＩ処理時間」とも呼ばれ得る。
【００８３】
代替的には、特定のＣＳＩ処理のＣＳＩレポートの処理時間ウィンドウは、その特定のＣＳＩ処理より高い優先度に関連付けられるＣＳＩレポートの数と共に増加する。
【００８４】
その場合、対応する測定の後であって上記の時間ウィンドウが経過する前にＵＥが新しい測定に基づいてＣＳＩレポートを更新することを期待することはできない。
【００８５】
本発明の一実施形態が、図７に示されている。ここでは、測定に基づく端末からの完全なＣＳＩレポートが期待され得るよりも前の総処理時間が延長される。延長処理時間の持続期間は、ＣＳＩ処理についての（１つ又は複数の）ＣＳＩレポートの決定の予期される計算複雑性に関連する。例えば、この持続期間は、構成されるＣＳＩ処理の数及び／又は構成されるＣＳＩ−ＲＳの数の関数である。延長処理時間は、例えば、標準化されること、及び既知のパラメータからルックアップテーブルから決定されることができるであろう。
【００８６】
別の実施形態では、特定のＣＳＩ処理について固有の処理時間ウィンドウを決定することができ、それにより、当該固有の処理時間ウィンドウ後にトリガされる上記ＣＳＩ処理についてのＣＳＩレポートが新しい測定結果で更新される。
【００８７】
そうした実施形態が図８に示されており、図８では、ＣＳＩ処理１の処理時間ウィンドウは１サブフレームであり、ＣＳＩ処理２の処理時間ウィンドウは２サブフレームであり、ＣＳＩ処理３の処理時間ウィンドウは３サブフレームである。よって、２サブフレーム後において、ＣＳＩレポートは、ＣＳＩ処理１及びＣＳＩ処理２についての更新情報を含むものとしか期待され得ず、ＣＳＩ処理３に関連した情報は、新しい測定を反映したものであるとは期待され得ない。少なくとも３サブフレーム後にトリガされるレポートだけが、全てのＣＳＩ処理について新しい測定で更新されているものと期待され得る。
【００８８】
一実施形態では、指定される時間フレームにおいて決定可能であるべきＣＳＩ処理の数の観点で、端末の最小処理ケイパビリティが標準により必須とされる。例えば、ＭサブフレームのうちにＮ個のＣＳＩ処理を端末が処理できることが必須とされてもよい。例えば、各サブフレームにおいて２つのＣＳＩ処理についてのレポートを端末が決定できることが必須とされてもよい。
【００８９】
さらなる実施形態では、ＵＥは、所与のサブフレームにおいて、必須とされる最小数を上回る数のＣＳＩ処理を処理可能である。
【００９０】
一実施形態では、ＵＥがどういった順序で複数の構成されるＣＳＩ処理を処理することが期待されるかを識別する、複数のＣＳＩ処理間の優先度化（prioritization）が存在する。
【００９１】
一実施形態では、レポーティング優先度化はネットワークにより構成可能である。１つのそうした実施形態では、各ＣＳＩ処理に、ＣＳＩ処理がどういった順序で計算されるべきかを決定する優先度インジケータが割り当てられる。
【００９２】
特定の干渉測定リソースが複数のＣＳＩ処理によって共用されてもよく、その場合、干渉測定は、一度実行しさえすればよいことに留意すべきである。
【００９３】
同様に、所望信号のリファレンス信号も複数のＣＳＩ処理によって共用されてよく、その場合、関連付けられるチャネル推定は一度実行しさえすればよい。
【００９４】
また、ＲＩ及び／又はＰＭＩは、（関連付けられる所望の実効チャネル及び干渉測定を想定して）第１のＣＳＩ処理の一部として決定され、第２のＣＳＩ処理でも再利用されてもよい。この場合、ＰＭＩ及びＲＩは、第２のＣＳＩ処理の決定においていかなる処理も伴わない。しかしながら、第２のＣＳＩ処理のＣＱＩは、第２のＣＳＩ処理の干渉測定及び所望信号のリファレンス信号を用いて決定されるべきである。
【００９５】
１つのそうした実施形態では、優先度化は、上記第１のＣＳＩ処理が上記第２のＣＳＩ処理より上位の優先度を与えられ、第２のＣＳＩ処理よりも先に処理されるべきことを示すようになされる。別の実施形態では、第１のＣＳＩ処理が第２のＣＳＩ処理よりも上位に優先度化されることが規格によって必須とされる。
【００９６】
これには、ＣＳＩ処理のレポーティングがＣＳＩ処理間の依存関係の前後関係に従うことをＵＥが利用できるという利点がある。即ち、第２のＣＳＩ処理の処理については、想定されるＲＩ及び／又はＰＭＩが第１のＣＳＩ処理についてのレポーティングの一部としてすでに決定されているために、それらを利用することができる。
【００９７】
いくつかの実施形態の利点は、大規模なＣｏＭＰフィードバック構成のために許容できるサポートを維持しながらも、ＵＥの必要とされるピーク処理ケイパビリティを低減させることができることである。
【００９８】
図９は、いくつかの実施形態におけるネットワークノードと無線デバイスとの間のインタラクションを示すシグナリング図とフロー図とを組み合わせたものである。
【００９９】
図１０〜図１２に、いくつかの実施形態による無線デバイスにおける方法を示す。
【０１００】
図１０を参照すると、ネットワークノードにチャネル状態情報（ＣＳＩ）をレポートするための無線デバイスにおける方法が示されている。この方法は、図５に示すネットワークにおいて実装され得る。
【０１０１】
無線デバイスは、ネットワークノードから、１つ以上のＣＳＩ処理についてのＣＳＩ処理構成を受信する。各ＣＳＩ処理は、リファレンス信号リソース及び干渉測定リソースに対応する。リファレンス信号リソースは、所望信号に対応する１つ以上のリファレンス信号が受信されるリソースエレメントのセットを含む。このコンテキストでの「所望信号」は、無線デバイスによる受信が意図されている信号を意味する。干渉測定リソースは、所望信号に干渉していると想定される１つ以上の信号が受信されるリソースエレメントのセットを含む。ある特定の実施形態では、リファレンス信号リソースはＣＳＩ−ＲＳリソースである。しかしながら、リファレンス信号リソースは、所望信号の推定に使用され得る任意の他の種類のＲＳリソース、例えばＣＲＳリソースであってもよい。
【０１０２】
無線デバイスは、ネットワークノードから、ＣＳＩ情報についての要求をさらに受信する。ＣＳＩ要求は、例えば、フラグの形でダウンリンク制御情報（ＤＣＩ：downlink  control  information）に含まれていてもよく、上位層メッセージ、例えばＲＲＣメッセージに含まれていてもよい。ＣＳＩ要求は、非周期的なＣＳＩレポート、又は周期的なＣＳＩレポートについての要求であってよい。
【０１０３】
無線デバイスは、例えば、構成されるＣＳＩ処理の数、或いは構成されるＣＳＩ−ＲＳリソースの数に基づいて、最大ＣＳＩ処理時間を決定する。最大ＣＳＩ処理時間は「許容されるＣＳＩ処理時間」とも呼ばれ得る。一変形例では、最大ＣＳＩ処理時間は、ＣＳＩ処理固有である。即ち、各ＣＳＩ処理が最大ＣＳＩ処理時間と関連付けられる。
【０１０４】
無線デバイスは、構成されるＣＳＩ処理ごとにリファレンス信号リソースにおいて受信される１つ以上のリファレンス信号に基づいて、例えば１つ以上のＣＳＩ−ＲＳに基づいて、測定を実行する。無線デバイスのためのＣＳＩ処理構成によっては、リファレンス信号リソースの一部又は全部が同じサブフレームで受信され得る。加えて、無線デバイスは、上述のように、例えばＩＭＲ上の測定に基づいて、干渉を推定する。
【０１０５】
そして、無線デバイスは、許容されるＣＳＩ処理時間内に、構成されるＣＳＩ処理ごとのＣＳＩ情報を決定する。各ＣＳＩ処理が最大ＣＳＩ処理時間と関連付けられる変形例では、無線デバイスは、当該処理についての最大ＣＳＩ処理時間内に、構成されるＣＳＩ処理ごとのＣＳＩ情報を決定することになる。よって、この変形例では、無線デバイスは、タイミング制約条件を満たすことができることを確実とするために、最短の最大処理時間を有する処理についてのＣＳＩ情報を決定することから開始し得る。
【０１０６】
最後に、無線デバイスは、ネットワークノードへＣＳＩを送信する。そうした送信は、ネットワークが、（ＤＣＩブロックでスケジュールされる）非周期的なＣＳＩ要求において要求されることもでき、特定のサブフレームで周期的に行われるようにスケジュールされることもできるであろう。
【０１０７】
図１１に同様の実施形態を示すが、図１１の方法では、無線デバイスは、構成されるＣＳＩ処理についての優先度も決定し、優先度に従ってＣＳＩ処理ごとのＣＳＩ情報を決定する。優先度化は、上述したように、ある処理からの１つ以上のＣＳＩ値を別の処理に再利用することができる、あるＣＳＩ処理間の前後関係を特定することを伴い得る。
【０１０８】
図１２は図１１の方法の別の変形例である。ここでは、無線デバイスはこの場合もやはり、優先度を決定し、最高の優先度を有する処理についてのＣＳＩを（図８に示すように）最大処理時間内に決定する。一変形例では、優先度の標識がネットワークから受信され得る。例えば、無線は、ＣＳＩ処理構成の一部として、ＣＳＩ処理ごとの優先度インジケータ又はインデックスを受信し得る。
【０１０９】
無線デバイスが最大処理時間内に全てのＣＳＩ処理についてのＣＳＩを決定することができない場合、残りのＣＳＩ情報は過去の測定結果に基づくものになる。
【０１１０】
ネットワークノードは、対応する優先度化を実行しており（またオプションとして、このＣＳＩ処理の優先度化を無線デバイスへ伝達しており）、したがって、どのＣＳＩ処理を最大処理時間内に更新されるものと期待されるか、及びどのＣＳＩ処理が古くなるものと予期されるかを知っていることに留意すべきである。
【０１１１】
図１３に、ＣＳＩレポーティングについてのネットワークノードにおける方法を示す。
【０１１２】
ネットワークノード、例えばｅＮｏｄｅＢは、無線デバイス、例えばＵＥへ、１つ以上のＣＳＩ処理についてのＣＳＩ処理構成を送信する。各ＣＳＩ処理は、リファレンス信号リソース及び干渉測定リソースに対応する。リファレンス信号リソースは、所望信号に対応する１つ以上のリファレンス信号が受信されるリソースエレメントのセットを含む。このコンテキストでの「所望信号」は、無線デバイスによる受信が意図されている信号を意味する。干渉測定リソースは、所望信号に干渉していると想定される１つ以上の信号が受信されるリソースエレメントのセットを含む。ある特定の実施形態では、リファレンス信号リソースは、ＣＳＩ−ＲＳリソースである。しかしながら、リファレンス信号リソースは、所望信号の推定に使用され得る任意の他の種類のＲＳリソース、例えばＣＲＳリソースであってよい。
【０１１３】
ネットワークノードは、無線デバイスへ、ＣＳＩ情報についての要求をさらに送信する。ＣＳＩ要求は、例えば、フラグの形でダウンリンク制御情報（ＤＣＩ）に含まれていてもよく、上位層メッセージ、例えばＲＲＣメッセージに含まれていてもよい。ＣＳＩ要求は、非周期的なＣＳＩレポート、又は周期的なＣＳＩレポートについての要求であってもよい。
【０１１４】
ネットワークノードは、さらに、例えば、構成されるＣＳＩ処理の数、或いは構成されるＣＳＩ−ＲＳリソースの数に基づいて、最大ＣＳＩ処理時間を決定する。一変形例では、最大ＣＳＩ処理時間は、ＣＳＩ処理固有である。即ち、各ＣＳＩ処理が最大ＣＳＩ処理時間と関連付けられる。
【０１１５】
オプションとして、ネットワークノードは、ＣＳＩ処理のための優先度をも決定する。上述のように、優先度は、ＣＳＩ処理間の前後関係に基づいて決定され得る。
【０１１６】
ネットワークノードは、最大ＣＳＩ処理時間内に、無線デバイスから、ＣＳＩ処理に対応するＣＳＩ情報を受信する。優先度が決定される変形例では、ネットワークノードは、最大処理時間内に、（より高い優先度を有する）いくつかのＣＳＩ処理についてのＣＳＩ情報を受信し、後のある時点で残りのＣＳＩ情報を受信し得る。
【０１１７】
オプションとして、ネットワークノードは、受信ＣＳＩに基づいて、リンク適応を実行し、及び／又はスケジューリング決定を行う。
【０１１８】
図１６を参照すると、いくつかの実施形態による、チャネル状態情報（ＣＳＩ）をレポートするための無線デバイスにおける方法が示されている。この方法は、図５に示す無線デバイス５４０において実装され得る。無線デバイスは、無線ネットワーク、例えば図５の無線通信システム５００に含まれる。いくつかの変形例では、無線デバイスはユーザ機器（ＵＥ）である。
【０１１９】
無線デバイスは、ネットワークノード５６０から、ＣＳＩ処理構成とＣＳＩ情報についての要求とを受信１６１０する。ＣＳＩ情報についての要求は、周期的なＣＳＩレポートについての要求であってもよく、又は非周期的なＣＳＩレポートについての要求であってもよい。無線デバイスは、次いで、１つ以上のＣＳＩ処理についてＣＳＩをレポート１６２０し、ＣＳＩは、ＣＳＩリファレンスリソースについてのチャネルの状態を反映するように決定される。ＣＳＩリファレンスリソースは、構成されるＣＳＩ処理の数に基づいて決定される。オプションとして、ＣＳＩリファレンスリソースは、構成されるＣＳＩ−ＲＳリソースの数にも基づいて決定される。
【０１２０】
無線デバイスは、構成されるＣＳＩ処理に対応するリファレンス信号リソース上で実行される測定に基づいてＣＳＩを決定し得る。ある特定の変形例では、ＣＳＩは、ＣＳＩリファレンスリソースにおいて、及び／又はＣＳＩリファレンスリソースに先立って実行される測定に基づいて決定される。上述のように、ＣＳＩを決定することは、構成されるＣＳＩ処理に対応する干渉測定リソース上で測定を実行することと、当該測定に基づいてＣＳＩを決定することと、をさらに含み得る。
【０１２１】
いくつかの変形例では、無線デバイスは、ＣＳＩレポートが送信されるサブフレームに対して相対的なＣＳＩリファレンスリソースの位置を表す数ｎＣＱＩ＿ｒｅｆを決定する。無線デバイスは、そのデバイスのために構成される全てのＣＳＩ処理に適用される１つの数ｎＣＱＩ＿ｒｅｆを決定してもよい。代替的に、異なるＣＳＩ処理のために異なる数ｎＣＱＩ＿ｒｅｆが決定されてもよい。いくつかの変形例では、構成されるＣＳＩ処理の数がある閾値を上回る場合、数ｎＣＱＩ＿ｒｅｆは増加する。別の変形例では、ｎＣＱＩ＿ｒｅｆは、構成されるＣＳＩ処理の数と共に増加する。
【０１２２】
オプションとして、無線デバイスは、例えば、ＣＳＩ処理のインデックス又は識別情報に基づいて、第１のＣＳＩ処理を第２のＣＳＩ処理より上位に優先度化する。無線デバイスは、その場合、第１のＣＳＩ処理のためのランクインジケータ及び／又はプリコーディング行列インジケータを決定し、決定したランクインジケータ及び／又はプリコーディング行列インジケータを第２のＣＳＩ処理のために再利用する。
【０１２３】
説明した解決策は、任意の適切な通信規格をサポートし、任意の適切な構成要素を使用する任意の適切な種類の通信システムにおいて実装され得るものであるが、説明した解決策の特定の実施形態は、図５に示すような、ＬＴＥネットワークにおいて実装され得る。
【０１２４】
図５に示すように、例示のネットワークは、ユーザ機器（ＵＥ）の１つ以上のインスタンスと、これらのＵＥと通信することができる１つ以上の基地局とを、ＵＥ間の、又はＵＥと別の通信デバイス（地上通信線電話など）との間の通信をサポートするのに適する任意の追加の要素と共に含んでいてよい。図示のＵＥは、ハードウェア及び／又はソフトウェアの任意の適切な組み合わせを含む通信デバイスを表し得るが、これらのＵＥは、特定の実施形態では、図１５でさらに詳細に例示されるＵＥの例のようなデバイスを表し得る。同様に、図示の基地局も、ハードウェア及び／又はソフトウェアの任意の適切な組み合わせを含むネットワークノードを表し得るが、これらの基地局は、特定の実施形態では、図１４でさらに詳細に例示される基地局の例のようなデバイスを表し得る。
【０１２５】
図１５を参照すると、いくつかの実施形態は、チャネル状態情報（ＣＳＩ）をレポートするための無線デバイス１５００を提供する。無線デバイスは、ユーザ機器とすることができる。無線デバイスは、ネットワークノードから、ＣＳＩ処理構成とＣＳＩ情報についての要求とを受信し、１つ以上のＣＳＩ処理についてＣＳＩをレポートするように適合される。ＣＳＩは、ＣＳＩリファレンスリソースについてのチャネルの状態を反映するように決定され、ＣＳＩリファレンスリソースは、構成されるＣＳＩ処理の数に基づいて決定される。
【０１２６】
オプションとして、無線デバイスは構成されるＣＳＩ−ＲＳリソースの数にも基づいてＣＳＩリファレンスリソースを決定するように適合される。
【０１２７】
無線デバイスは、構成されるＣＳＩ処理に対応するリファレンス信号リソース上で実行される測定に基づいてＣＳＩを決定するようにさらに適合され得る。ある特定の変形例では、無線デバイスは、ＣＳＩリファレンスリソースにおいて、及び／又はＣＳＩリファレンスリソースに先立って実行される測定に基づいてＣＳＩを決定するように適合される。無線デバイスは、構成されるＣＳＩ処理に対応する干渉測定リソース上で測定を実行し、当該測定に基づいてＣＳＩを決定することによってＣＳＩを決定するようにさらに適合され得る。
【０１２８】
いくつかの変形例では、無線デバイスは、ＣＳＩレポートが送信されるサブフレームに対して相対的なＣＳＩリファレンスリソースの位置を表す数ｎＣＱＩ＿ｒｅｆを決定するように適合される。無線デバイスは、そのデバイスのために構成される全てのＣＳＩ処理に適用される１つの数ｎＣＱＩ＿ｒｅｆを決定するようにさらに適合され得る。代替的に、無線デバイスは、異なるＣＳＩ処理のために異なる数ｎＣＱＩ＿ｒｅｆを決定するように適合されてもよい。いくつかの変形例では、無線デバイスは、数ｎＣＱＩ＿ｒｅｆを、構成されるＣＳＩ処理の数がある閾値を上回る場合に数ｎＣＱＩ＿ｒｅｆが増加するように決定するように適合される。別の変形例では、無線デバイスは、数ｎＣＱＩ＿ｒｅｆを、構成されるＣＳＩ処理の数と共に増加するように決定するように適合される。
【０１２９】
オプションとして、無線デバイスは、例えば、ＣＳＩ処理のインデックス又は識別情報に基づいて、第１のＣＳＩ処理を第２のＣＳＩ処理より上位に優先度化するように適合される。無線デバイスは、その場合、第１のＣＳＩ処理のためのランクインジケータ及び／又はプリコーディング行列インジケータを決定し、決定したランクインジケータ及び／又はプリコーディング行列インジケータを第２のＣＳＩ処理のために再利用するようにさらに適合される。
【０１３０】
図１５に戻って、いくつかの実施形態は、チャネル状態情報（ＣＳＩ）をレポートするためのユーザ機器１５００を提供し、ユーザ機器１５００は、プロセッサ１５２０とメモリ１５３０とを含み、メモリ１５３０は、上記ユーザ機器１５００が、ネットワークノードから、ＣＳＩ処理構成とＣＳＩ情報についての要求とを受信し、１つ以上のＣＳＩ処理についてＣＳＩをレポートするように動作するための、上記プロセッサによって実行可能な命令を含み、ＣＳＩは、ＣＳＩリファレンスリソースについてのチャネルの状態を反映するように決定され、ＣＳＩリファレンスリソースは、構成されるＣＳＩ処理の数に基づいて決定される。
【０１３１】
オプションとして、命令は、実行されると、ユーザ機器１５００を、構成されるＣＳＩ−ＲＳリソースの数にも基づいてＣＳＩリファレンスリソースを決定するように動作させる。
【０１３２】
いくつかの実施形態では、命令は、実行されると、ユーザ機器１５００を、構成されるＣＳＩ処理に対応するリファレンス信号リソース上で実行される測定に基づいてＣＳＩを決定するように動作させる。ある特定の変形例では、無線デバイスを、ＣＳＩリファレンスリソースにおいて、及び／又はＣＳＩリファレンスリソースに先立って実行される測定に基づいてＣＳＩを決定するように動作させる。無線デバイスは、構成されるＣＳＩ処理に対応する干渉測定リソース上で測定を実行し、当該測定に基づいてＣＳＩを決定することによってＣＳＩを決定するようにさらに動作させることができる。
【０１３３】
いくつかの変形例では、命令は、実行されると、ユーザ機器１５００を、ＣＳＩレポートが送信されるサブフレームに対して相対的なＣＳＩリファレンスリソースの位置を表す数ｎＣＱＩ＿ｒｅｆを決定するように動作させる。無線デバイスは、そのデバイスのために構成される全てのＣＳＩ処理に適用される１つの数ｎＣＱＩ＿ｒｅｆを決定するようにさらに動作させることができる。代替的に、無線デバイスは、異なるＣＳＩ処理のために異なる数ｎＣＱＩ＿ｒｅｆを決定するように動作させることもできる。いくつかの変形例では、無線デバイスを、構成されるＣＳＩ処理の数がある閾値を上回る場合に数ｎＣＱＩ＿ｒｅｆが増加するように数ｎＣＱＩ＿ｒｅｆを決定するように動作させる。別の変形例では、無線デバイスを、数ｎＣＱＩ＿ｒｅｆが構成されるＣＳＩ処理の数と共に増加するように数ｎＣＱＩ＿ｒｅｆを決定するように動作させる。
【０１３４】
オプションとして、命令は、実行されると、ユーザ機器１５００を、例えば、ＣＳＩ処理のインデックス又は識別情報に基づいて、第１のＣＳＩ処理を第２のＣＳＩ処理より上位に優先度化するように動作させる。無線デバイスは、その場合、第１のＣＳＩ処理のためのランクインジケータ及び／又はプリコーディング行列インジケータを決定し、決定したランクインジケータ及び／又はプリコーディング行列インジケータを第２のＣＳＩ処理のために再利用するようにさらに動作する。
【０１３５】
図１５に示すように、ＵＥの例は、プロセッサと、メモリと、送受信機と、アンテナとを含む。特定の実施形態では、移動通信デバイス又は他の形のＵＥによって提供されるものとして上述した機能性の一部又は全部が、図１５に示すメモリといったコンピュータ読取可能な媒体上に記憶された命令を実行するプロセッサによって提供され得る。ＵＥの代替的な実施形態は、上述の機能性のいずれか及び／又は上述の解決策をサポートするのに必要な任意の機能性を含む、ＵＥの機能性のある側面を提供する役割を果たし得る、図１５に示す構成要素以外の追加的な構成要素を含んでいてもよい。
【０１３６】
図１４に示すように、基地局の例は、プロセッサと、メモリと、送受信機と、アンテナとを含む。特定の実施形態では、モバイル基地局、基地局コントローラ、ノードＢ、拡張ノードＢ、及び／又は任意の他の種類の移動通信ノードによって提供されるものとして上述した機能性の一部又は全部が、図１４に示すメモリといったコンピュータ読取可能な媒体上に記憶された命令を実行する基地局プロセッサによって提供され得る。基地局の代替的な実施形態は、上述の機能性のいずれか及び／又は上述の解決策をサポートするのに必要な任意の機能性を含む、追加的な機能性を提供する役割を果たす追加的な構成要素を含んでいてもよい。
【０１３７】
「comprise」又は「comprising」（含む）という語を使用する場合、その語は非限定的であり、即ち、「consist  at  least  of（少なくとも〜からなる）」を意味するものと解釈されるものとする。
【０１３８】
本発明は上述した好適な実施形態に限定されない。様々な代替手段、修正例、及び均等物が使用されてよい。したがって、上記の実施形態は本発明の範囲を限定するものとみなされるべきではなく、本発明の範囲は添付の特許請求の範囲によって定義されるものである。
【図１】
0006290863.tif 000007
【図２】
0006290863.tif 000008
【図３】
0006290863.tif 000009
【図４】
0006290863.tif 000010
【図５】
0006290863.tif 000011
【図６】
0006290863.tif 000012
【図７】
0006290863.tif 000013
【図８】
0006290863.tif 000014
【図８ａ】
0006290863.tif 000015
【図８ｂ】
0006290863.tif 000016
【図８ｃ】
0006290863.tif 000017
【図８ｄ】
0006290863.tif 000018
【図８ｅ】
0006290863.tif 000019
【図８ｆ】
0006290863.tif 000020
【図９】
0006290863.tif 000021
【図１０】
0006290863.tif 000022
【図１１】
0006290863.tif 000023
【図１２】
0006290863.tif 000024
【図１３】
0006290863.tif 000025
【図１４】
0006290863.tif 000026
【図１５】
0006290863.tif 000027
【図１６】
0006290863.tif 000028